(57)【要約】【課題】注射針の内面に付着した異物、汚れなどの有無を精度よく且つ効率的に検査することができる検査装置及び検査方法を提供する。【解決手段】注射針を検査する検査装置は、ビーム状の光を出射する光源と、前記光源から出射した光の少なくとも一部が検査対象の注射針の針管を通過するように該注射針を保持する保持部と、前記注射針の針管を通過してきた光を受光する受光部と、前記受光部で受光した光量の信号を出力する出力部と、を備える。【選択図】図１
2020146410.tif 000002
【特許請求の範囲】
【請求項１】
注射針を検査する検査装置であって、
光を出射する光源と、
前記光源から出射した光の少なくとも一部が検査対象の注射針の針管を通過するように該注射針を保持する保持部と、
前記注射針の針管を通過してきた光を受光する受光部と、
前記受光部で受光した光量に応じた信号の強度を出力する出力部と、を備えることを特徴とする検査装置。
【請求項２】
請求項１の検査装置において、
前記光源から出射する光は、近赤外光であることを特徴とする検査装置。
【請求項３】
請求項１又は２の検査装置において、
前記光源から出射する光は、指向角（２×θ１／２）が１０度以下の平行ビーム状の光であることを特徴とする検査装置。
【請求項４】
請求項１乃至３のいずれかの検査装置において、
前記注射針から前記受光部に至る光路に外乱光が入らないように該光路を覆う遮光部材を備えることを特徴とする検査装置。
【請求項５】
請求項１乃至４のいずれかの検査装置において、
前記受光部で受光した光量の信号に基づいて前記注射針の良否を判定する判定部を更に備え、
前記出力部は、前記光量の信号の強度とともに又は前記光量の信号の強度に代えて、前記判定の結果を出力することを特徴とする検査装置。
【請求項６】
請求項１乃至５のいずれかの検査装置において、
前記保持部は、前記針管の軸を中心にして前記注射針を回転可能に保持し、
前記保持部で保持された前記注射針を回転させる回転手段を更に備え、
前記出力部は、前記注射針を回転させながら受光した前記光量の信号又はその光量の信号に基づいて判定した判定結果を出力することを特徴とする検査装置。
【請求項７】
注射針を検査する検査方法であって、
光源から出射した光の少なくとも一部が検査対象の注射針の針管を通過するように該注射針を保持することと、
前記注射針の針管を通過してきた光を受光することと、
前記受光した光量の信号の強度を出力することと、を含むことを特徴とする検査方法。
【発明の詳細な説明】
【技術分野】
【０００１】
本発明は、注射針の針管の内面に付着した異物、汚れなどの有無を検査する検査装置及び検査方法に関するものである。
【背景技術】
【０００２】
針管がハブに固定された注射針が知られている（例えば、特許文献１参照）。このような注射針の製造時に、針管の内面に異物、汚れなどの付着物が付着する場合がある。従来、針管の内面に付着している異物、汚れなどの付着物の有無を検査する方法として、顕微鏡を用いた目視検査の方法がある。
【発明の概要】
【発明が解決しようとする課題】
【０００３】
従来の顕微鏡を用いた目視検査では、検査の効率が悪く、目視検査時に良否の誤判定が発生しやすく検査精度が悪い、という課題がある。
【課題を解決するための手段】
【０００４】
本発明の一態様に係る注射針の検査装置は、光を出射する光源と、前記光源から出射した光の少なくとも一部が検査対象の注射針の針管を通過するように該注射針を回転可能に保持する保持部と、前記注射針の針管を通過してきた光を受光する受光部と、前記受光部で受光した光量の信号の強度を出力する出力部と、を備える。
【０００５】
本発明の他の態様に係る注射針の検査方法は、光源から出射した光の少なくとも一部が検査対象の注射針の針管を通過するように該注射針を保持することと、前記注射針の針管を通過してきた光を受光することと、前記受光した光量の信号強度を出力することとを含む。
【発明の効果】
【０００６】
本発明によれば、顕微鏡を用いた目視検査に比して、注射針の針管の内面に付着した異物、汚れなどのの付着物の有無を精度よく且つ効率的に検査することができる。
【図面の簡単な説明】
【０００７】
【図１】（ａ）は検査対象の注射針の一例を示す正面図。（ｂ）は注射針の針管の一例を示す断面図。
【図２】本発明の実施形態に係る注射針の検査装置の全体構成の一例を示す概略構成図。
【図３】（ａ）は針管の内面に付着物がない良品の注射針について検査したときの出力の一例を示す説明図。（ｂ）は針管の内面に付着物がある不良品の注射針について検査したときの出力の一例を示す説明図。
【発明を実施するための形態】
【０００８】
以下、図面を参照して本発明の実施の形態を説明する。
図１（ａ）は、検査対象の注射針２０の正面図であり、図１（ｂ）は注射針２０の針管２００の断面図である。注射針２０は、針管２００がプラスチック製のハブ２１０に固定された構造を有する。この注射針２０の製造時に、図１（ｂ）に示すように、針管２００の内面２００ａにプラスチック系の異物、汚れなどの付着物３００が付着する場合がある。
【０００９】
上記針管２００の内面２００ａに付着物３００があると不良品として出荷することができないので、全数検査する必要がある。針管２００の付着物３００の検査方法として顕微鏡を用いた目視検査があるが、前述のように検査の効率及び精度が悪い。
【００１０】
そこで、実施形態では、注射針２０の針管２００の中に光を通すことにより、針管２００の付着物３００の有無を効率よく且つ精度よく検査している。
【００１１】
図１は、本発明の実施形態に係る注射針の検査装置１０の全体構成の一例を示す概略構成図である。図１において、検査装置１０は、光を出射する光源１００と、光源１００から出射した光の少なくとも一部が検査対象の注射針２０の針管２００を通過するように注射針２０を保持する保持部１１０と、注射針２０の針管２００を通過してきた光を受光する受光部１２０と、受光部１２０で受光した光量に応じた信号の強度を出力する出力部１３０とを備える。
【００１２】
光源１００は、例えば発光ダイオード（ＬＥＤ）である。光源１００は、例えば図示のように光学ベンチ１４０上に支持部材１０１で固定されている。光源１００としては、ＬＥＤのほか、半導体レーザ（ＬＤ）等の他の光源を用いてもよい。
【００１３】
光源１００が出射する光としては、例えば、可視光の影響を受けにくくするために近赤外光を用いることができる。近赤外光の波長範囲は、例えば０．７μｍ（７００ｎｍ）〜１．４μｍ（１４００ｎｍ）である。また、光源１００から出射する光は、検査対象の注射針２０の針管２００の内部へ光を効率的に導入するために、指向角（２×θ１／２）が１０度以下の平行ビーム状の光であってもよい。
【００１４】
保持部１１０は、例えば、検査対象の注射針２０の針管２００を挿入可能な程度の内径を有する貫通孔１１１が形成されている板状のセンター出し部材で構成することができる。保持部１１０の貫通孔１１１の中心は、光源１００から出射する光の光軸Ｌに位置決めされる。保持部１１０は、光源１００と同様に、例えば図示のように光学ベンチ１４０上に支持部材１１２で固定されている。
【００１５】
保持部１１０は、その貫通孔１１１に注射針２０の針管２００が挿入された状態で、注射針２０の針管２００の軸を中心にして注射針２０を回転可能に保持してもよい。注射針２０を回転しながら検査することにより、注射針２０の針管２００の内面に付着している付着物の検知漏れを防ぐことができる。注射針２０の回転は手動で行ってもよいし、モータやギヤなどで構成した機構で行ってもよい。
【００１６】
なお、保持部１１０の貫通孔１１１は、検査対象の注射針２０のハブ２１０を挿入可能な程度の内径を有し、その貫通孔１１１に注射針２０のハブ２１０が挿入された状態で、注射針２０の針管２００の軸を中心にして注射針２０を回転可能に保持してもよい。
【００１７】
受光部１２０は、例えば前記近赤外光を受光可能なフォトトランジスタ等の受光素子である。フォトトランジス以外の受光素子を受光部１２０に用いてもよい。受光部１２０の受光面の中心は、光源１００から出射する光の光軸Ｌに位置決めされる。受光部１２０は、光源１００及び保持部１１０と同様に、例えば図示のように光学ベンチ１４０上に支持部材１２１で固定されている。
【００１８】
また、図２中で部分断面図として示しているように、保持部１１０に保持された注射針２０から受光部１２０に至る光路に周囲の外乱光が入らないように光路を覆う円筒状の遮光部材１１３が設けられている。遮光部材１１３は、注射針２０の針管２００の光出射端部である先端部から受光部１２０に至る光路を少なくとも覆うように設ける。遮光部材１１３は、光源１００から受光部１２０に至る光路の全体を覆うように設けてもよい。
【００１９】
出力部１３０としては、例えば、受光部１２０で受光した光量に応じた信号（以下「受光信号」ともいう。）の強度を出力するオシロスコープやシンクロスコープなどの表示装置を用いることができる。受光部１２０と表示装置からなる出力部１３０との間には、図示のように、受光部１２０から出力された受光信号を増幅するアンプを設けてもよい。また、出力部１３０は、受光部１２０から出力された受光信号を増幅するアンプと、そのアンプの出力信号を表示する液晶ディスプレイなどの表示装置を用いて構成してもよい。
【００２０】
また、出力部１３０は、受光部１２０からの受光信号がＩ／Ｏインターフェースを介して入力されるコンピュータ装置で構成してもよい。このコンピュータ装置は、受光部１２０からの受光信号に基づいて注射針２０の良否を判定する判定部として機能し、受光信号の強度とともに又は受光信号の強度に代えて、前記判定の結果を出力してもよい。
【００２１】
図３（ａ）は針管２００の内面に付着物３００がない良品の注射針２０について検査したときの出力の一例を示す説明図であり、図３（ｂ）は針管２００の内面に付着物３００がある不良品の注射針２０について検査したときの出力の一例を示す説明図である。図３（ａ）及び（ｂ）に示すように針管２００の内面に付着物２２０があると、受光部１２０の受光信号の強度（信号レベル）Ｓが大きく低下するので、注射針２０の良品／不良品を精度よく且つ効率的に行うことができる。
【００２２】
以上、本実施形態によれば、注射針２０の針管２００の中に光を通すことにより、顕微鏡を用いた目視検査に比して、注射針２０の針管２００の内面に付着した異物、汚れなどの付着物の有無を精度よく且つ効率的に検査することができる。本実施形態の検査装置１０で実際に検査したところ、注射針２０を１本あたり１０秒以内で検査することができた。このように１本あたり１０秒以内で検査することができれば、１ヶ月あたり１０，０００本の注射針２０を検査することができる。
【先行技術文献】
【特許文献】
【００２３】
【特許文献１】特開２００２−１０２３４６
【符号の説明】
【００２４】
１０    ：検査装置
２０    ：注射針
１００  ：光源
１０１  ：支持部材
１１０  ：保持部
１１１  ：貫通孔
１１２  ：支持部材
１１３  ：遮光部材
１２０  ：受光部
１２１  ：支持部材
１３０  ：出力部
１４０  ：光学ベンチ
２００  ：針管
２１０  ：ハブ
３００  ：付着物
【図１】
2020146410.tif 000003
【図２】
2020146410.tif 000004
【図３】
2020146410.tif 000005